(57)【要約】      （修正有）【課題】熱回収可能で適度な湿度保持が可能な第２種２４時間換気システムの提供。【解決手段】熱回収のために給気と排気を順次に繰り返す同形状一体型の換気装置１１，１２，１３を複数台組合せた第２種２４時間換気システムで、換気装置には蓄熱性また吸放湿機能を併せ持つ蓄熱エレメント体が内蔵されていて、蓄熱エレメント体は、円筒形で通気路を数多く有する多孔質セラミックスなどの材質で造られていて、換気装置の組立ての構成は、室内側から外壁側に向かってエアーフィルター、送風ファン、蓄熱エレメント体、虫除けメッシュ付きエアーフィルターを有していて、換気装置の給気運転と停止が設定サイクルで順次切換わり繰り返し、給気時のみ送風ファンを運転し、排気は正圧の室圧により換気装置を通じて自然排気される第２種２４時間換気システムの電気制御方式。【選択図】図１
2017072279.tif 000002
【特許請求の範囲】
【請求項１】
熱回収のために給気と排気を順次に繰り返す同形状一体型の換気装置１０を複数台組合せた第２種２４時間換気システムで、
換気装置１０には蓄熱性また吸放湿機能を併せ持つ蓄熱エレメント体１５が内蔵されていて、
蓄熱エレメント体１５の全体形状は、円筒形で通気路を数多く有する多孔質セラミックスなどの材質で造られていて、
換気装置１０の組立ての構成は、室内側から外壁側に向かってエアーフィルター１７、送風ファン１６、蓄熱エレメント体１５、虫除けメッシュ付きエアーフィルターを有していて、
換気装置１０の給気運転と停止が設定サイクルで順次切換わり繰り返し、給気時のみ送風ファン１６を運転し、排気は正圧の室圧により換気装置１０を通じて自然排気される第２種２４時間換気システムの電気制御方式。
【請求項２】
複数台の換気装置１０は、給気運転している台数と停止している台数が同じか、または給気運転している台数の方が停止している台数より多い状態で制御されていて、
室内を正圧に保持しつつ給気運転と停止が設定サイクルで順次切換わり繰り返すことを特徴とした請求項１に記載の第２種２４時間換気システムの電気制御方式。
【請求項３】
正圧の室圧変動の安定を図るために３個以上で複数台の換気装置１０によって構成していて、
安定室圧状態から異常で急激な室圧変動を室圧計または風量計で検知し、住宅の防犯警備システム９９に組み込むこと、また正圧を利用し浴室やトイレ室の排気ファンが無い状態で室圧のみで直接大気放出する仕組みを取入れることを特徴とした請求項１また請求項２に記載の第２種２４時間換気システムの電気制御方式。
【発明の詳細な説明】
【技術分野】
【０００１】
本発明は、熱回収可能な第２種換気システムの構成と電気制御に関するものである。
【背景技術】
【０００２】
近年、居住者の多くが安全、安心また健康で快適な居住空間の提供を望み住宅等建物の付帯設備もかなり充実してきている。
その中で、シックハウス対策として住宅内に新鮮な空気を供給しまた適度な湿度を保持することで病気にならず健康快適な居室空間を維持し、住宅の構造躯体を結露から守る上で必要な住宅設備機器の一つが２４時間換気システムです。
【０００３】
第１種換気⇒給気側と排気側それぞれにモーターを使用した機械（ファン）によって換気を行う方式で、この方式のほとんどは排気と給気とで熱交換を行うタイプとなります。
第２種換気⇒給気のみを機械により換気し、排気は押し出される圧力により自然排気となります。室内が正圧（プラス）となるため、外部から空気が流入しにくいため、病院の手術室や精密機械工場のクリーンルームなどで使用されています。
第３種換気⇒第二種換気と反対に、排気を機械により行い、給気が自然に吸込まれる形式です。室内は負圧（マイナス）となるため、浴室の湿気またトイレやキッチンなどの安価な排気システムで、メンテナンスが容易でランニングコストも低いという特長があります。
弟４種換気⇒自然給気＋自然排気により自然の空気の流れで給排気を行うので温度差や風力の影響を受けやすい。
改正建築基準法で機械換気の設置が義務付けられたため、換気ファンなどとの併用が必要。
【０００４】
最近の省エネルギー住宅の換気システムには給気と排気を系統ごとにダクトで結び熱交換する方法で８０〜９０％の熱量を回収し、また適切な湿度を保てる第１種２４時間換気システムが標準搭載されるようになりましたが、価格が高く導入する住宅は少ないようです。
その為に、住宅に取付けられている２４時間換気システムの多くは安価な第３種２４時間換気システムとなっています。
【０００５】
室内が負圧となる安価な既存の第３種２４時間換気システムは、熱回収や湿度調整ができないので外気の温湿度変化に室内の環境が大きく左右されます。
特に冬場、第３種２４時間換気システムでは、住宅内に冷気が直接導入されるため多くの家庭が２４時間換気システムを停止していると聞きます。
また、地域によって第３種２４時間換気システムは、冬場において冷たく乾いた空気が導入されその空気を暖めることで相対湿度が極端に低くなり、インフルエンザの流行やドライアイまた肌の過度な乾燥で病気にかかるリスクが増すなど、このことによって国民医療費が増えるなど決して人に優しい２４時間換気システムとは言えないのです。
【０００６】
次に、室内空間内が正圧となる第２種２４時間換気システムは、住宅ではまず採用されていないのが実状で、しかも現状は第１種２４時間換気システムを除けば第２種も第３種も熱回収が出来ない換気システムとなっており、地球温暖化を抑制しながら住宅を結露から守り病気にならず健康を維持する２４時間換気システムにはなっていないのが現状です。
【発明の概要】
【発明が解決しようとする課題】
【０００７】
熱回収可能で適度な湿度保持が可能な第２種２４時間換気システムの提供。
【０００８】
冬場の居住環境を適度な温湿度（２０℃で５５〜６０％）に保つことは、インフルエンザやドライアイまた肌の過度な乾燥で病気にかからなくする上での重要な防御手段です。
それには、室内を健康で快適な居住空間に維持できる人に優しいこれまでにない新しい発想で２４時間換気システムの技術開発を行う必要があります。
【０００９】
この技術開発によって、病気にかかるリスクを低減し国民医療費の抑制や削減に結び付けることが可能となる重要な住宅設備機器の開発であります。
本発明は、本課題の一つである国民医療費の抑制とまた地球温暖化防止対策として熱回収可能で適度な湿度の保持が可能なこれまでにない第２種２４時間換気システムを安価な方法で具現化し提供することが目的。
【課題を解決するための手段】
【００１０】
前記目的を達成するため本発明は、以下の技術的手段を講じた。
第１に、熱回収のために給気と排気を順次に繰り返す同形状一体型の換気装置１０を複数台組合せた第２種２４時間換気システムで、
換気装置１０には蓄熱性また吸放湿機能を併せ持つ蓄熱エレメント体１５が内蔵されていて、蓄熱エレメント体１５の全体形状は、円筒形で通気路を数多く有する多孔質セラミックスなどの材質で造られていて、換気装置１０の組立ての構成は、室内側から外壁側に向かってエアーフィルター１７、送風ファン１６、蓄熱エレメント体１５、虫除けメッシュ付きエアーフィルターを有していて、換気装置１０の給気運転と停止が設定サイクルで順次切換わり繰り返し、給気時のみ送風ファン１６を運転し、排気は正圧の室圧により換気装置１０を通じて自然排気される第２種２４時間換気システムの電気制御方式とした。
【００１１】
第２に、複数台の換気装置１０は、給気運転している台数と停止している台数が同じか、または給気運転している台数の方が停止している台数より多い状態で制御されていて、室内を正圧に保持しつつ給気運転と停止が設定サイクルで順次切換わり繰り返すことを特徴とした請求項１に記載の第２種２４時間換気システムの電気制御方式とした。
【００１２】
第３に、正圧の室圧変動の安定を図るために３個以上で複数台の換気装置１０によって構成していて、安定室圧状態から異常で急激な室圧変動を室圧計または風量計で検知し、住宅の防犯警備システム９９に組み込むこと、また正圧を利用し浴室やトイレ室の排気ファンが無い状態で室圧のみで直接大気放出する仕組みを取入れることを特徴とした請求項１また請求項２に記載の第２種２４時間換気システムの電気制御方式とした。
【発明の効果】
【００１３】
本発明は、熱回収可能な第２種２４時間換気システムで高気密高断熱の省エネルギー住宅に搭載すれば健康快適な適正温湿度維持可能で環境に優しい住宅設備機器が提供できる。
【図面の簡単な説明】
【００１４】
【図１】３台の換気装置を取付けた第２種２４時間換気システムの空気の流れと電気制御概念図
【図２】４台の換気装置を取付けた第２種２４時間換気システムの空気の流れと電気制御概念図に防犯警備システムを組み込んだ図
【発明を実施するための形態】
【００１５】
以下、本発明の実施の形態を図１また図２に基づいて実施例１と実施例２を説明する。
【実施例１】
【００１６】
実施例１の図１は第１、第２の技術的手段で、この第２種２４時間換気システム１は３個以上で複数台の換気装置１０を有していて、
換気装置１０が給気運転している台数の方が停止している台数より常に多い状態で制御され、室内を正圧に保持しつつ給気運転と停止が設定したサイクルで順次切換わり繰り返す電気制御方式２１の第２種２４時間換気システム１になっている。
【００１７】
ダクトで系統ごとに結ばないで必要な場所に独立した換気装置１０を取付け、その全体を電気的に結び制御する方式によって室内を正圧に保持しつつ熱回収と調湿を行なうことができる第２種２４時間換気システム１となっている。
したがって、必要な場所に独立した換気装置１０を取付けるだけで、ダクトで結ぶ必要がなくなるので送風ダクト内の埃と湿気でカビ菌が増殖し蓄積することもなく衛生的で安全安心な換気装置１０を使用した第２種２４時間換気システム１となっている。
【００１８】
室内を正圧に保持し安定化を図る第２種２４時間換気システム１の方法としては３個以上で複数台の換気装置１０を取付けることが望ましく、
換気装置１０は給気運転している台数と停止している台数が同じか、または給気運転している台数の方が停止している台数よりに多い状態で制御されていて、室内を安定した正圧に保持しつつ給気運転と停止が設定したサイクルで順次切換わり繰り返すことで熱回収と適正湿度を維持する仕組みになっている。
この換気装置１０には熱回収また調湿機能を併せ持つ蓄熱エレメント体１５が内蔵されていて、蓄熱エレメント体１５はハニカム形状などの通気路を数多く有する多孔質セラミックス製の円筒形状で、換気装置１０の室内側から外壁側に向かっての組立構成は、エアーフィルター１７、送風ファン１６、蓄熱エレメント体１５、虫除けメッシュ付きエアーフィルターを取付ける簡単な構成でメンテナンスも容易な第２種２４時間換気システム１となっている。
【００１９】
第２種２４時間換気システム１は、給気運転と停止が設定したサイクルで順次切換わり繰り返すことで熱回収と調湿が行える適正温湿度維持可能な仕組みを有している。
図１では、３台の換気装置１０を１１、１２、１３の組合せで説明する。
最大風量時の給気または排気で蓄熱エレメント体に蓄熱した熱が逃げる寸前までため込んだ熱、すなわち回収熱容量の限界値を例えば６５秒とした場合に換気装置１０の空気の流れ方向を６５秒以上同じ状態を継続すると蓄熱エレメント体１５に蓄熱した熱がブレークし逃げることになる。
そこで熱を逃がさない一歩手前の６０秒以内で空気の流れ方向を逆転させることによって蓄熱エレメント体１５に蓄熱された熱が再び室内側または大気側に戻る。
【００２０】
例えば、図１で説明すると３台の換気装置１１、１２、１３の組合せでは、
ポジション１で１５秒後にはポジション２に切換り、１５秒後にはポジション３に切換る。
このサイクルを順次繰り返すことで熱回収効率の高い第２種２４時間換気システム１が構成されている。
したがって、３台の換気装置１０の場合は給気運転が６０秒で停止が１５秒となっている。
【００２１】
３台の換気装置１１、１２、１３が設定サイクルの６０秒以内で順次切換わり給気運転と停止を繰り返すマイコン等利用の電気制御方式２１は下記のとおりとなる。
給気運転／停止            換気装置１１      換気装置１２      換気装置１３
（ポジション１）サイクル１      ○                Ｘ                ○
（ポジション２）                ○                ○                Ｘ
（ポジション３）                Ｘ                ○                ○
サイクル２      ○                Ｘ                ○
○                ○                Ｘ
Ｘ                ○                ○
サイクル３      ○                Ｘ                ○
○                ○                Ｘ
Ｘ                ○                ○
表示○で１５秒間給気運転
表示Ｘで１５秒間停止
【実施例２】
【００２２】
実施例２の図２は、第３の技術的手段を用いた第２種２４時間換気システム１で換気装置１０を３個以上の複数台を有している。
図２の実施例２は、４台の換気装置１０、例えば１１、１２、１３、１４の組合せで説明する。
第２種２４時間換気システム１の換気装置１０は、設定サイクルの６０秒毎に順次切換わり給気運転と停止を繰り返すマイコン等利用の電気制御方式２２で下記のとおり制御されている。
給気運転／停止      換気装置１１  換気装置１２  換気装置１３  換気装置１４
（ポジション１）サイクル１  ○            ○            Ｘ            Ｘ
（ポジション２）            Ｘ            ○            ○            Ｘ
（ポジション３）            Ｘ            Ｘ            ○            ○
（ポジション４）            ○            Ｘ            Ｘ            ○
サイクル２  ○            ○            Ｘ            Ｘ
Ｘ            ○            ○            Ｘ
Ｘ            Ｘ            ○            ○
○            Ｘ            Ｘ            ○
サイクル３  ○            ○            Ｘ            Ｘ
Ｘ            ○            ○            Ｘ
Ｘ            Ｘ            ○            ○
○            Ｘ            Ｘ            ○
表示○で１５秒間給気運転
表示Ｘで１５秒間停止
【００２３】
４台の換気装置１１，１２，１３，１４の組合せにおいては、ポジション１の状態が１５秒間、次にポジション２に切換り、１５秒後にはポジション３に切換り、その１５秒後にはポジション４となる。
このサイクルを順次繰り返すことで熱回収効率の高い第２種２４時間換気システム１が構成されている。
したがって、４台の換気装置１１，１２，１３．１４は、給気運転が６０秒で停止が６０秒となっている。
【００２４】
第３の技術的手段である実施例２は、実施例１に防犯警備システムを付加し、換気装置１０の取付け台数を多くすることで、浴室やトイレの排気を排気ファンなしで排風量調整ダンパーを通じて室圧のみで直接大気放出する仕組みを概念図で図示している。
【００２５】
図２には、防犯警備システム検知器９９また浴室排気口７１やトイレ排気口８１に図示したが、特に、湿気のある浴室の排気や臭気のあるトイレの排気に存在する熱を回収することは有効であり、投資対効果が見込まれれば図２には無いがこの排気と新鮮空気が混ざらない方法で熱のみを回収する熱交換器を取付けると良い。
【００２６】
次に、防犯警備システム検知器９９は、室圧計または風速計が有効で安定的に機能させるには気密性の高い住宅であれば適確に異常を検知することができる。
例えば、開口部の窓やドアーが壊されるなどの異常時は、簡単容易に知らせてくれる一括管理が可能な安価な防犯警備システムとなっている。
他に、防犯警備システム検知器９９の室圧計または風速計の取付け位置は、外気の風などの外乱に影響されない場所や位置に取付けるのが好ましい。
【００２７】
その他、設定したサイクルで順次切換わり給気運転と停止を繰り返す電気制御方式２２の詳細は実施例１と同様であり説明を省略する。
【００２８】
尚：、実施例１また実施例２で言う設定したサイクルとは最大風量時の給気量または排気量で蓄熱エレメント体１５に蓄熱した熱が逃げる寸前までにため込んだ熱、すなわち回収熱容量の限界値であって、仮に６５秒としたものである。
したがって、最大風量、中風量、微風量の３段切換えができる換気装置１０の場合には、中風量また微風量と設定サイクルを延ばす電気制御方式２１または２２であってもよい。
【産業上の利用可能性】
【００２９】
熱回収可能で室内空間を正圧に保てる第２種２４時間換気システムであれば、地球環境に優しく構造躯体をシロアリ被害から守る防蟻塗布剤や建材からのＶＯＣなどの化学物質が混ざった空気が居室内に入り込まないので、病気にかからない住宅造りに一歩でも近づけられる。結果、国民医療費の抑制に結びつく可能性が大となる。
【符号の説明】
【００３０】
１    第２種２４時間換気システム
１０、１１、１２、１３、１４、換気装置
１５、蓄熱エレメント体
１６、送風ファン
１７、エアーフィルター
２１、２２、電気制御方式
６１、屋根裏排気口
７１、浴室排気口
８１、トイレ排気口
９９、防犯警備システム検知器
【図１】
2017072279.tif 000003
【図２】
2017072279.tif 000004